(57)【要約】【課題】パネルの組み付けを確実且つ強固にし、しかも土や砂等が噛み込まれたとしても分解し易すいように工夫された嵌込みスロットを有する組立パネルを提供する。【解決手段】パネル（２）の嵌込みスロット（４）が、これに嵌め込まれるパネル（２）と点接触するように形成された凹凸面（５）を有することを特徴とする。【選択図】図５
2008011918.tif 000002
【特許請求の範囲】
【請求項１】
意図する物品にふさわしい形状寸法及び所要枚数の組立パネルを用意し、該パネルを、パネルに形成された嵌込みスロットにより組み付けて前記意図する物品を組み立てる組立パネルであって、前記パネルの嵌込みスロットが、これに嵌め込まれるパネルと点接触するように形成された凹凸面を有することを特徴とする組立パネル。
【請求項２】
組立パネルは、組み立てされた物品の設置安定性を考慮して、比較的厚くて、かなり重い板状の硬質プラスチック材料で形成される、請求項１に記載の組立パネル。
【請求項３】
嵌込みスロットの凹凸面は波形の形態である、請求項１に記載の組立パネル。
【請求項４】
嵌込みスロットの凹凸面は鋸歯の形態である、請求項１に記載の組立パネル。
【発明の詳細な説明】
【技術分野】
【０００１】
本発明は、複数枚のパネルを使用して意図する物品に組み立てるための組立パネルに関し、特に組立パネル同志を組み付けるためにパネルに形成される嵌込みスロットの構造に関する。
【背景技術】
【０００２】
本発明者は、例えば厚さ１９ｍｍのような比較的厚くて、かなり重い板状の硬質プラスチック材料を使用して、意図する物品にふさわしい形状寸法及び所要枚数の組立パネルを用意し、該パネルを使用して、例えば、テーブル、滑り台等に組み立てることを着想した。このような組立物品は、屋内に或いは屋外に置かれて子供たちの遊び道具に使用されることを意図している。
【０００３】
組立パネルの組み付けは、パネルに形成された嵌込みスロットを利用し、一方のパネルの嵌込みスロットと他方のパネルの嵌込みスロットとの噛み合わせによって行われる。組み立てられた物品はそのままの状態で片付けようとすると場所をとることから、パネルを分解して片付けることが求められる。組み立てられた物品が特に屋外で使用されるときには、土や砂等が嵌込みスロットとパネル部分との間に噛み込むためにパネルを分解しようとしてもパネルが嵌込みスロットから殆ど抜けなくなってしまうことがある。それは、主に、嵌込みスロットと相手側のパネル部分との接触が摩擦の大きい面接触であることと、噛み込んだ土や砂等を逃がす余地がないことに起因していることが分かった。
【発明の開示】
【発明が解決しようとする課題】
【０００４】
本発明の目的は、パネルの組み付けを確実且つ強固にし、しかも土や砂等が噛み込まれたとしても分解し易すいように工夫された嵌込みスロットを有する組立パネルを提供することにある。
【課題を解決するための手段】
【０００５】
本発明のこの目的は、意図する物品にふさわしい形状寸法及び所要枚数の組立パネルを用意し、該パネルを、パネルに形成された嵌込みスロットにより組み付けて前記意図する物品を組み立てる組立パネルであって、前記パネルの嵌込みスロットが、これに嵌め込まれるパネルと点接触するように形成された凹凸面を有することを特徴とする組立パネルを提供することによって達成される。
【０００６】
組立パネルは、組み立てされた物品の設置安定性を考慮して、比較的厚くて、かなり重い板状の硬質プラスチック材料で形成されるのが好ましい。
【０００７】
本発明の特徴である嵌込みスロットの凹凸面は、好ましくは波形の形態であるが、鋸歯の形態でもよい。
【０００８】
（作用効果）
本発明によれば、パネルとパネルを組み付けたとき、一方のパネルの嵌込みスロットの凹凸面と他方のパネルとの接触が点接触になるため摩擦が少なく土や砂等が噛み込んでもパネルの分解は極めて容易である。また、パネルの持ち運ぶ際、嵌込みスロットは手掛けとしても使用することができるからパネルを持ち易くし、しかも凹凸面に指が掛かるから滑りにくく、指の出し入れも容易である。
【発明を実施するための最良の形態】
【０００９】
図面の図１は、組み立てられたテーブル１を示し、図２は、テーブル１の組み立てに使用されるパネル２（Ａ，Ｂ，Ｃ，及びＤ）の平面図を示す。図３は、組み立てられた滑り台３を示し、図４は、滑り台３の組み立てに使用されるパネル２（Ｅ，Ｅ，Ｆ，及びＧ）を示す。これらのテーブル、及び滑り台は、例示として示すものであって、意図する物品に応じて種々の組のパネルを用意することができることは明らかである。
【００１０】
組み立てされた物品の設置安定性を確保する観点から、いずれのパネルも、例えば厚さ１９ｍｍのような比較的厚くて、かなり重い板状の硬質プラスチック材料で形成され、図１及び３に示すような意図する物品にふさわしい形状寸法の組立パネルが所要枚数用意される。パネルは、その組み付けるべき箇所に形成された実質的に真っ直ぐな嵌込みスロット４を有する。嵌込みスロット４の、相手側パネルと接する面は、図５に拡大して示すように、波形や鋸歯のような凹凸面５として形成される。嵌込みスロット４の凹凸面５は、その頂６と頂６、谷７と谷７が互いに向かい合うように形成されるのが好ましく、したがって、互いに向かい合った頂と頂との間の距離がスロットの幅と定義され、その幅は、パネルの厚さに相当するように寸法決めされることは明らかである。
【００１１】
例えば、図１に示すテーブル１を組み立てるには、先ず、パネルＡとＢを側板として立て、天板として形成されたパネルＣを側板に組み付け、最後に、アーチとして形成されたパネルＤを側板に組み付ける。図３に示す滑り台３の場合には、滑り板として形成されたパネルＦを一対の側板としてのパネルＥ，Ｅに組み付け、最後に、バーとして形成されたパネルＧを側板に組み付ける。
【００１２】
図１及び２に示すパネルの例では、該パネルに形成された嵌込みスロット４は全て一方の端が開いた開放型のものであるが、図３及び４に示すパネルの例では、側板として形成されたパネルは、上記の開放型の嵌込みスロット４の外に、滑り板として形成されたパネルの両袖部及びバーとして形成されたパネルの両袖部を通すことができる寸法形状を有する、両端が閉じた閉型の嵌込みスロット４を有していることに気づくであろう。
【００１３】
組み付けの具体例を詳述すれば次の通りである。一方のパネル２の嵌込みスロット４と他方のパネル２の嵌込みスロット４とを、閉型の嵌込みスロットの場合には、これにバネルの袖部を通した上で、位置合わせして嵌込みスロット４の端ともう一方の嵌込みスロット４の端が互いに当接するまで、例えば、テーブル１の場合、天板パネルＣを側板パネルＡ，Ｂに対して引き寄せる。すると、側板パネルが天板パネルの嵌込みスロットに、天板バネルが側板パネルの嵌込みスロットにそれぞれ接触してパネルは互いにしっかりと組み付くことになる。他のパネルも同様な仕方で組付けられ、滑り台のパネルの場合も同様な仕方で組み付けられる。パネルとパネルが互いに組み付けられたとき、一方のパネルの嵌込みスロット４の凹凸面５により、その嵌込みスロットと他方のパネルとの接触は面接触ではなく点接触となる。
【００１４】
かくして、本発明によれば、パネルの組み付けが、嵌込みスロットの凹凸面とパネルとの接触が点接触によって行われるため、接触による摩擦が少なく、それに加えて、土や砂等を逃がすポケットが凹凸面の谷によって形成されるから、土や砂等を噛み込んでもパネルの分解を極めて容易に行うことができる。また、パネルの持ち運びに際し、嵌込みスロットは手掛けとしても使用することができるからパネルは持ち易くなり、しかも凹凸面に指が掛かるから滑りにくく、指の出し入れも容易である。
【図面の簡単な説明】
【００１５】
【図１】組み立てられたテーブルを示す斜視図である。
【図２】テーブルの組立に使用されるパネルＡ，Ｂ，Ｃ，及びＤの平面図である。
【図３】組み立てられた滑り台を示す斜視図である。
【図４】滑り台の組み立てに使用されるパネルＥ，Ｅ，Ｆ，及びＧの平面図である。
【図５】パネルに形成される嵌込みスロットを拡大して示す平面図である。
【図６】パネルとパネルを組み付けた状態の部分図である。
【符号の説明】
【００１６】
１  テーブル
２  パネル
３  滑り台
４  嵌込みスロット
５  凹凸面
６  頂
７  谷
【図１】
2008011918.tif 000003
【図２】
2008011918.tif 000004
【図３】
2008011918.tif 000005
【図４】
2008011918.tif 000006
【図５】
2008011918.tif 000007
【図６】
2008011918.tif 000008